(57)【特許請求の範囲】
【請求項１】
物品を収納する収納庫の内側に固定可能な箱体であり、該収納庫内に収納される収納物を確認するための収納物確認装置であって、
前記箱体において前記収納庫内部と隣接する壁面に設けられる透明性を備えた透明部材と、
前記箱体の壁面内側に設けられ前記透明部材側の映像を映し出すミラー部材と、
前記箱体内の光量が所定値未満の場合には鏡として機能し、該光量が所定値以上の場合には前記箱体外側から該内側を視認可能に設けられるハーフミラー部材と、
前記箱体内部に対し光を照射する発光部と、
を有することを特徴とする収納物確認装置。
【請求項２】
物品を収納する収納庫の内側に固定可能な六面の箱体であり、該収納庫内に収納される収納物を確認するための収納物確認装置であって、
前記箱体において前記収納庫内部と隣接する壁面に設けられる透明性を備えた透明部材と、
前記箱体を構成する壁面内側において前記透明部材の対向面側及び背面内側の少なくとも一方に設けられ前記透明部材側の映像を映し出すミラー部材と、
前記箱体内の光量が所定値未満の場合には鏡として機能し、該光量が所定値以上の場合には前記箱体外側から該内側を視認可能に設けられるハーフミラー部材と、
前記箱体内部に対し光を照射する発光部と、
を有することを特徴とする収納物確認装置。
【請求項３】
前記発光部は、前記透明部材の設置面側に対し光を照射するように前記透明部材の対向面内側に設置されることを特徴とする請求項１又は２記載の収納物確認装置。
【請求項４】
前記ハーフミラー部材は、可視透過率１０〜１７％の素材を、所定厚さの透明性を有する樹脂板で挟持して構成されることを特徴とする請求項１から３のいずれか１項に記載の収納物確認装置。
【請求項５】
物品を収納する箱体である収納庫を備えたロッカー装置であって、
前記収納庫の内側に、請求項１から４のいずれか１項に記載の前記収納物確認装置を固定して構成されることを特徴とするロッカー装置。
【発明の詳細な説明】
【技術分野】
【０００１】
本発明は、収納物確認装置及びロッカー装置に関し、特に、コインロッカー等の各種収納庫内の様子を確認するための収納物確認装置及びロッカー装置に関する。
【背景技術】
【０００２】
駅構内、店舗及び通路等には、コインロッカーが多数設置されており、利用者は、荷物を一時預け入れて、買い物等の用事を済ますことが多い。コインロッカー内は、不透明なスチール製のコインロッカー本体及び扉により外部から遮断されているため、収納物をロッカー内に預け入れても、第三者に見られることが無く、安心して預け入れが可能となっている。
【０００３】
一方、コインロッカーは、投入料金に応じて利用期間が決められており、この期間が経過した場合には、収納物の取り出し時に超過料金が徴収されるが、その期間を大幅に経過した場合には、コインロッカーの管理者は、保安面等から、マスターキーや電子キーなどで扉を開錠して収納物を確認している。
加えて、近年、事件性に結びつく事態、特に駅等の公共施設を狙った無差別テロ等への対応について重要性が叫ばれており、収納物の確認作業を徹底して行う必要がある。
コインロッカーは、通常複数の収納庫を備えるものであり、コインロッカーの管理者は、これら複数の収納庫について上記のような確認作業を１つ１つ行うのに多大な時間と労力を要求されるという問題がある。
【０００４】
このような問題点を解決するための従来技術の１つとして、特許文献１に開示するところのコインロッカーが提案されている。
この特許文献１に開示されるコインロッカーは、収納庫の扉にハーフミラーの窓を設けるとともに、収納庫内部にランプを設けるように構成されている。通常の状態では、そのハーフミラーの窓は鏡として機能し、収納庫内部を視認することはできず、利用者のプライバシーは守られる。一方、収納庫内部のランプを点灯させると、ハーフミラーの窓の透明度が増し、その窓から収納庫内部を、扉を開錠することなく確認可能となっている。
【特許文献１】実公平７−４７０４
【発明の開示】
【発明が解決しようとする課題】
【０００５】
しかしながら、前述の特許文献１に開示されるコインロッカーには、以下のような問題点がある。
すなわち、預け入れる荷物が多く、収納庫内いっぱいに荷物を詰めた場合などには、そのハーフミラーの窓内側に当接する荷物で窓が塞がれてしまい、収納庫内部を十全に確認することができないという問題が生じる。この場合、やはり従来の通り、扉の鍵を一旦開錠して、収納物を取り出し、確認するという作業を行わざるを得ず、労働時間の短縮及び労力の削減という効果を十分に得ることができないという問題が生じてしまう。
【０００６】
本発明は、上記問題点に鑑みてなされたものであり、収納庫内の荷物が多い場合であっても、収納庫扉を開扉することなく、収納庫内の様子が確認可能な収納物確認装置及びロッカー装置を提供することを目的とする。
【課題を解決するための手段】
【０００７】
かかる目的を達成するため、本発明は、物品を収納する収納庫の内側に固定可能な箱体であり、収納庫内に収納される収納物を確認するための収納物確認装置であって、箱体において収納庫内部と隣接する壁面に設けられる透明性を備えた透明部材と、箱体の壁面内側に設けられ透明部材側の映像を映し出すミラー部材と、箱体内の光量が所定値未満の場合には鏡として機能し、光量が所定値以上の場合には箱体外側から内側を視認可能に設けられるハーフミラー部材と、箱体内部に対し光を照射する発光部と、を有することを特徴とする。
【０００８】
また、本発明は、物品を収納する収納庫の内側に固定可能な六面の箱体であり、収納庫内に収納される収納物を確認するための収納物確認装置であって、箱体において収納庫内部と隣接する壁面に設けられる透明性を備えた透明部材と、箱体を構成する壁面内側において透明部材の対向面側及び背面内側の少なくとも一方に設けられ透明部材側の映像を映し出すミラー部材と、箱体内の光量が所定値未満の場合には鏡として機能し、光量が所定値以上の場合には箱体外側から内側を視認可能に設けられるハーフミラー部材と、箱体内部に対し光を照射する発光部と、を有することを特徴とする。
【０００９】
また、本発明によれば、その発光部は、透明部材の設置面側に対し光を照射するように透明部材の対向面内側に設置されることを特徴とする。
【００１０】
また、本発明によれば、ハーフミラー部材は、可視透過率１０〜１７％の素材を、所定厚さの透明性を有する樹脂板で挟持して構成されることを特徴とする。
【００１１】
また、本発明は、物品を収納する箱体である収納庫を備えたロッカー装置であって、収納庫の内側に、前述の収納物確認装置を固定して構成されることを特徴とする。
【発明の効果】
【００１２】
本発明の実施の形態における収納物確認装置は、物品を収納する収納庫の内側に固定可能な箱体である収納物確認装置であって、箱体において収納庫内部と隣接する壁面に設けられる透明部材と、箱体の壁面内側に設けられ透明部材側の映像を映し出すミラー部材と、箱体外側から内側を視認可能な位置に設けられるハーフミラー部材と、箱体内部に対し光を照射する発光部とを有して構成されているので、ロッカー管理者は、発光部を点灯させるだけで、収納庫の扉を開扉することなく、収納庫内の様子を容易に確認することが可能となる。
【発明を実施するための最良の形態】
【００１３】
＜構成＞
以下、本発明の実施の形態におけるロッカー装置１の構成について、図を用いて詳細に説明する。
図１は、本発明の実施の形態におけるロッカー装置１の外観斜視図である。
図に示すように、本実施の形態におけるロッカー装置１は、ロッカー装置１の内部を確認するための収納物確認装置１０と、この収納物確認装置１０が溶接又はネジ止め等で取り付けられるロッカー本体２０とを有して構成される。
【００１４】
このロッカー本体２０は、通常のロッカーと同様に、荷物を収納するための複数の収納庫２１を有して構成される。本実施の形態では、一例として、コインを投入して荷物を所定期間預け入れるコインロッカーであるものとして説明を進める。
このロッカー本体２０を構成する各収納庫２１は、荷物の預け入れ又は取り出しの際に開閉する扉２２と、実際に荷物を収納する鋼製等の箱体である収納庫本体２３と、投入した料金の額等が表示される液晶ディスプレイ等の表示部２４と、預け入れ料金の投入口２５と、扉２２施錠するロッカー錠２６とを有して構成される。また、前述の扉２２には、収納庫２１内を視認するための窓部２２ａが設けられている。この窓部２２ａは、ガラス、アクリル等の透明樹脂等、透明性を有する素材で構成されている。
【００１５】
図に示すように、収納物確認装置１０は、収納庫本体２３の内部に装着される。本実施の形態では、一例として、収納庫本体２３の上面内側に固定されるものとする。また、この収納物確認装置１０の正面側には、収納庫本体２３内部を視認可能なようにハーフミラー部材１１が設けられている。扉２２閉扉時には、このハーフミラー部材１１と前述の窓部２２ａとの位置が重なるように構成されている。
【００１６】
図２は、本発明の実施の形態における収納庫２１の正面図である。
図に示すように、収納庫本体２３の上面内側には、収納物確認装置１０が固定されている。また、収納庫本体２３内には、収納物Ｂ１が収納されている。
【００１７】
図３は、本発明の実施の形態における収納庫２１の正面断面図であって、図１のＡ−Ａ’断面のうち、収納庫２１の部分を示したものである。
また、図４は、本発明の実施の形態における収納庫２１の側面断面図であって、図１のＢ−Ｂ’断面を示したものである。
以下、これらの図を用いて、収納物確認装置１０及び収納庫２１の内部構成について、詳細に説明する。
【００１８】
これらの図に示すように、扉２２には、収納物確認装置１０の内部を覗き込むための窓部２２ａが設けられている。この窓部２２ａは、ガラス又は樹脂（アクリル等）等、透明性を有する素材により構成される。
【００１９】
また、六面の箱体である収納物確認装置１０の正面側には、同様に収納物確認装置１０の内部を覗き込むためのハーフミラー部材１１が設けられている。このハーフミラー部材１１は、正面側から見て、上記の窓部２２ａと位置が重なるように設けられており、これら窓部２２ａ及びハーフミラー部材１１を通して、正面側から収納物確認装置１０の内部を視認可能に構成されている。
なお、このハーフミラー部材１１は、可視透過率が１０〜１７％程度に構成されている。このため、通常時、すなわち収納物確認装置１０内の光量が所定値未満である場合には、鏡として機能し、収納物確認装置１０内部の様子を視認することは困難となっている。一方、後述する発光部１５が点灯し、収納物確認装置１０内部の光量が増加し、所定値以上となった場合には、透明性を有し、その内部の様子を視認することが可能となる。
【００２０】
収納物確認装置１０の上面内側には、対面の物体を映し出す鏡素材で構成されるミラー部材１３が設けられている。
また、収納物確認装置１０の上面内側から背面内側にかけて、ミラー部材１３と同様の素材で構成されるミラー部材１４が、ミラー部材１３と連設されている。このミラー部材１４は、収納物確認装置１０の底面に対して所定角度傾いて設けられている。
ミラー部材１３，１４は、上記のように構成されているので、ロッカー管理者が、窓部２２ａ及びハーフミラー部材１１から収納物確認装置１０内部を覗き込んだときに、収納物確認装置１０の底面側の様子が映し出されるようになっている。
【００２１】
収納物確認装置１０の底面側には、透明部材１２が設けられている。この透明部材１２は、上記の窓部２２ａと同様に、ガラス又は樹脂（アクリル等）等、透明性を有する素材により構成される。
前述のように、ミラー部材１３，１４は、収納物確認装置１０の底面側の様子を映し出すように構成されているので、ロッカー管理者は、窓部２２ａ及びハーフミラー部材１１から覗き込むと、この透明部材１２を通して映った収納庫本体２３の内部の様子を確認することができる。
【００２２】
さらに、収納物確認装置１０の上面内側には、発光部１５が設けられている。
なお、図中では、複数の発光ダイオード等からなる発光部１５が、正面から見て左右方向に一直線上に並設されているが、点灯時に十分な光量が得られるものであれば、発光部１５の個数や配置については本図の例に限定されない。例えば、発光部１５として棒状の蛍光灯を配置してもよい。
【００２３】
図５は、本発明の実施の形態におけるハーフミラー部材１１の拡大側面断面図である。
次に、本図を用いて、前述のハーフミラー部材１１の構成について詳細に説明する。
図に示すように、ハーフミラー部材１１は、可視透過率１０〜１７％程度、厚さ０．１ｍｍ程度のフィルム状ハーフミラー素材１１ａを、２〜３ｍｍ程度の透明ガラス板やアクリル等の透明樹脂板等の補強板１１ｂ，１１ｃで挟持して構成されている。
このように、ハーフミラー部材１１は、ハーフミラー素材を所定の耐強度を有するアクリル等の素材で挟持して構成されるので、全体として所定の耐強度を保証することができ、破損を防止することが可能となる。
また、ハーフミラー部材１１は、全体として可視透過率１０〜１７％程度であればよく、補強板１１ｂ，１１ｃの可視透過率が所定値以下の場合には、ハーフミラー素材１１ａの可視透過率を１７％以上にする等、適宜調整して構成する。
【００２４】
＜作用＞
以下、本実施の形態における作用について説明する。
前述のように、収納物確認装置１０の底面側には、透明性を有する透明部材１２が設けられているので、この透明部材１２を通して、収納庫本体２３内部の様子がミラー部材１３，１４に映し出される。
ここで、発光部１５が点灯すると、収納物確認装置１０内の光量が増加し、ロッカー管理者が、窓部２２ａ及びハーフミラー部材１１から前述のミラー部材１３，１４に映し出された収納庫本体２３内部の様子が視認可能となる。
例えば、図４のように、正面から見て、サイズの大きい収納物Ｂ１の陰に隠れるように、サイズの小さい収納物Ｂ２が収納されている場合であっても、上方から収納庫本体２３の内部の様子を容易に視認することができる。
【００２５】
＜発光部１５の点灯／消灯＞
次に、発光部１５の点灯及び消灯について詳細に説明する。
その発光部１５の点灯及び消灯は、ロッカー管理者が携帯する発光部１５の点灯又は消灯用の端末装置３０を用いることにより行われる。この端末装置３０は、赤外線等の無線信号を発信することが可能に構成されている。この端末装置３０は、いわゆる専用のリモコンであってもよいし、携帯電話機、ＰＨＳ、ＰＤＡ等の汎用の携帯端末であってもよい。
【００２６】
図６は、本発明の実施の形態におけるロッカー装置１において、前述の発光部１５の発光を制御する構成を示す図である。
図に示すように、ロッカー装置１は、前述の端末装置３０からの無線信号を受信する受信部４１と、この受信部４１により受信された無線信号に応じて、発光部１５の点灯及び消灯を制御する制御部４２と、発光部１５に対して電力を供給する電源４３と、この電源４３からの電力供給のオン／オフの切り替えを行う電力供給切替部４４と、前述の発光部１５とを有する。
【００２７】
上記のような構成において、発光部１５の点灯は、以下のような流れで行われる。
ロッカー管理者は、ロッカー装置１から所定距離まで近づき、端末装置３０に設けられた所定のボタンを押下する等すると、この端末装置３０から無線信号が発信される。ロッカー装置１の受信部４１が、その無線信号を受信すると、その受信した旨の信号を制御部４２へ出力する。制御部４２は、その信号が入力されると、電源供給切替部４４に対し、電源４３からの電力を発光部１５へ供給する旨の制御信号を出力する。電源供給切替部４４は、上記供給する旨の制御信号を出力すると、電源４３から供給される電力を発光部１５に通電し、発光部１５が点灯する。
なお、発光部１５の消灯についても、点灯の場合と同様に行われるものとする。
【００２８】
＜収納物確認装置１０の設置位置の変形例＞
以上説明した本発明の実施の形態では、収納庫本体２３の上面内側に収納物確認装置１０が固定されるものであるが、収納物確認装置１０の固定位置は、これに限定されるものではない。
図７は、収納物確認装置１０を収納庫本体２３の底面内側に固定した場合の収納庫２１の正面断面図であって、本例において図１のＡ−Ａ’断面に該当する部分のうち、収納庫２１の部分を示したものである。また、図８は、収納物確認装置１０を収納庫本体２３の底面内側に固定した場合の収納庫２１の本例において図１のＢ−Ｂ’側面断面に該当する図である。
また、図９は、収納物確認装置１０を収納庫本体２３の側面内側に固定した場合の収納庫２１の正面断面図であって、本例において図１のＡ−Ａ’断面に該当する部分のうち、収納庫２１の部分を示したものである。また、図１０は、収納物確認装置１０を収納庫本体２３の側面内側に固定した場合の収納庫２１の本例において図１のＢ−Ｂ’側面断面に該当する図である。
図に示すように、収納物確認装置１０は、収納庫本体２３の上面内側の他、底面内側又は側面内側に固定することもできる。また、上面内側と底面内側のように、複数の収納物確認装置１０を収納庫本体２３内に設置することもできる。
【００２９】
＜実施の形態のまとめ＞
以上説明したように、本発明の実施の形態における収納物確認装置１０は、装置１０内が所定以上の明るさの場合においてのみ、その装置１０内の様子を視認可能なハーフミラー部材１１と、透明部材１２を通して収納庫本体２３内の様子を映し出すミラー部材１３，１４とを有して構成されているので、ロッカー管理者は、発光部１５を点灯させるだけで、大量の荷物が収納庫２１内に収納されている場合であっても、扉２２を開扉することなく、収納庫２１内の様子を容易に確認することが可能となる。さらには、収納庫２１内に不審物が収納されることに対する抑止力にもなる。
【００３０】
また、ハーフミラー部材は、可視透過率が１０〜１７％のハーフミラー素材から構成されているので、発光部１５が消灯している場合には、収納庫２１内の様子を視認することが困難となっている。また、上記点灯は、ロッカー管理者が操作する端末装置３０を用いてのみ行うことができるように構成されている。
従って、第三者が収納庫２１内の様子を視認することは困難であり、ロッカー装置１の利用者のプライバシーを厳重に保護することができる。
【００３１】
また、既存のロッカー装置の収納庫内の任意の位置に収納物確認装置１０を取り付け、扉に透明素材からなる窓部を設けるという簡単な作業だけで、本実施の形態におけるロッカー装置１と同様の効果を得ることができる。
【００３２】
また、ハーフミラー部材１１は、可視透過率１０〜１７％程度、厚さ０．１ｍｍ程度のフィルム状ハーフミラー素材を、２〜３ｍｍ程度の透明ガラス板やアクリル等の透明樹脂板で挟持して構成されているので、全体として所定の耐強度を保証することができ、破損を防止することが可能となる。
【００３３】
また、鏡等のミラー部材１３，１４及び発光ダイオード等の発光部１５は、例えば、鋼製等の収納物確認装置１０内に収容されているので、収納庫２１の外部や収納庫本体２３内からの力によって損傷することなく保護される。
【００３４】
なお、上記の実施例は本発明の好適な実施の一例であり、本発明の実施例は、これに限定されるものではなく、本発明の要旨を逸脱しない範囲において種々変形して実施することが可能となる。
【００３５】
また、本実施の形態では、ハーフミラー部材１１は、収納物確認装置１０の扉２２側の面に設けられているが、ロッカー装置１外側から収納物確認装置１０内部を視認可能であれば、扉２２側以外の面に設けられるようにしてもよい。
【００３６】
前述の実施の形態では、扉に設けた窓部２２ａを透明素材とし、収納物確認装置１０の正面側にハーフミラー部材１１を設けるように構成するものであるが、例えば、この窓部２２ａを前述のハーフミラー部材とし、収納物確認装置１０の正面側を透明素材で構成するようにしてもよい。また、窓部２２ａ及び収納物確認装置１０の正面側を前述のハーフミラー部材で構成するようにしてもよい。
【００３７】
また、本実施の形態では、窓部２２ａ及びハーフミラー部材１１の形状は、図に示すように、長方形状に構成されているが、その他、様々な形状であってもよい。例えば、円形や星型、その他、人や動物等様々な形状にすることができる。さらに、扉２２のほぼ全面を窓部２２ａとして構成することができ、これに合わせてハーフミラー部材１１の大きさや形状も適宜設計変更を行うことができる。このように、窓部２２ａ等を様々な形状にすることにより、美観的にも良好な効果が期待できる。
【００３８】
また、収納物確認装置１０の内部と、収納庫本体２３の内部とを仕切る透明部材１２に代えて、収納庫２１内の収納物が確認可能な程度に網目が粗いネット素材を設けてもよい。
また、本実施の形態では、透明部材１２を、収納物確認装置１０を収納庫本体２３内部に固定する面の対向面に設けたが、収納庫２１内の収納物を視認可能な面、すなわち収納庫本体２３内部に隣接する面であれば、背面側等その他の面に設けることができる。
【００３９】
また、本実施の形態では、ミラー部材１３，１４は、収納庫本体２３の上面内側から背面内側にかけて設けられているが、収納庫本体２３内部の様子が窓部２２ａ及びハーフミラー部材１１から視認可能であれば、その位置及び範囲は、これに限定されない。
また、ミラー部材１３，１４は、収納庫２１内の収納物が映し出される角度であれば、その設置面は、本実施の形態の例に限定されない。すなわち、ミラー部材は、収納物確認装置１０において、透明部材１２の設置面の対向面側及び連設面側の少なくとも一面に設けられるようにしてもよく、例えば、上面内側、背面内側及び側面内側のいずれか一面あるいはこれら複数面にわたって設けられるようにしてもよい。
【００４０】
また、発光部１５の設置位置についても、収納物確認装置１０内及び収納庫本体２３内に光を照射することが可能であれば、特に限定しないものとする。
【００４１】
また、本実施の形態では、収納物確認装置１０は、コインロッカーに設置するものであるが、その他の収納庫を備えるものに設置することができる。例えば、飛行機等の乗物の荷台やクローゼット等、様々なものに設置可能である。
【００４２】
また、本実施の形態では、ロッカー管理者は、無線信号を発信する端末装置３０を用いて、発光部１５の点灯又は消灯を行うが、その他、ロッカー装置１に設けられたスイッチにより、点灯及び消灯を行うようにしてもよい。このとき、ロッカー利用者のプライバシーの関係から、ロッカー装置１にキー入力部を設け、点灯時にこのキー入力部からパスワードの入力を要求する等、ロッカー管理者のみ収納庫２１内を確認できるようにすることが好ましい。
【図面の簡単な説明】
【００４３】
【図１】本発明の実施の形態におけるロッカー装置の外観斜視図である。
【図２】本発明の実施の形態における収納庫の正面図である。
【図３】本発明の実施の形態における収納庫の正面断面図であって、図１のＡ−Ａ’断面のうち、収納庫の部分を示したものである。
【図４】本発明の実施の形態における収納庫の側面断面図であって、図１のＢ−Ｂ’断面を示したものである。
【図５】本発明の実施の形態におけるハーフミラー部材の拡大側面断面図である。
【図６】本発明の実施の形態におけるロッカー装置において、発光部の発光を制御する構成を示す図である。
【図７】本発明の実施の形態において収納物確認装置を収納庫本体の底面内側に固定した場合の収納庫の正面断面図であって、本例において図１のＡ−Ａ’断面に該当する部分のうち、収納庫の部分を示したものである。
【図８】本発明の実施の形態における収納物確認装置を収納庫本体の底面内側に固定した場合の収納庫の本例において図１のＢ−Ｂ’側面断面に該当する図である。
【図９】本発明の実施の形態において収納物確認装置を収納庫本体の側面内側に固定した場合の収納庫の正面断面図であって、本例において図１のＡ−Ａ’断面に該当する部分のうち、収納庫の部分を示したものである。
【図１０】本発明の実施の形態における収納物確認装置を収納庫本体の側面内側に固定した場合の収納庫の本例において図１のＢ−Ｂ’側面断面に該当する図である。
【符号の説明】
【００４４】
１    ロッカー装置
１０    収納物確認装置
１１    ハーフミラー部材
１１ａ    ハーフミラー素材
１１ｂ，１１ｃ    補強板
１２    透明部材
１３，１４    ミラー部材
１５    発光部
２０    ロッカー本体
２１    収納庫
２２    扉
２２ａ    窓部
２３    収納庫本体
２４    表示部
２５    コイン投入口
２６    ロッカー錠
３０    端末装置
４１    受信部
４２    制御部
４３    電源
４４    電力供給切替部
Ｂ１，Ｂ２    収納物
【図１】
0005188828.tif 000002
【図２】
0005188828.tif 000003
【図３】
0005188828.tif 000004
【図４】
0005188828.tif 000005
【図５】
0005188828.tif 000006
【図６】
0005188828.tif 000007
【図７】
0005188828.tif 000008
【図８】
0005188828.tif 000009
【図９】
0005188828.tif 000010
【図１０】
0005188828.tif 000011